(57)【要約】【課題】本発明は、電池ユニットの容量を確保するとともに、電子機器の小型化を実現する。【解決手段】電子機器は、本体筐体１０と、表示装置２１を収容した表示筐体２０と、前記表示装置２１の表示画面２１ａが前記本体筐体１０に覆われる第１の位置と、該表示画面が露出される第２の位置との間で前記表示筐体２０と前記本体筐体１０とを回動可能に連結したヒンジ部２３ａ，ｂと、  前記本体筐体１０に着脱可能に設けられるとともに、前記第１の位置で前記表示筐体よりも外部に張り出した張出部１００ｆ１と、この張出部１００ｆ１から前記表示筐体２０に向かって延びた平坦な壁部１００ｆ２とを有するバッテリパック１００と、を有する。【選択図】  図９
2011129427.tif 000002
【特許請求の範囲】
【請求項１】
本体筐体と、
端部を有し、表示装置を収容した表示筐体と、
前記表示筐体の端部に接続し、前記表示装置の表示画面が前記本体筐体に覆われる第１の位置と、該表示画面が露出される第２の位置との間で前記表示筐体と前記本体筐体とを回動可能に連結したヒンジ部と、
前記本体筐体に設けられるとともに、前記第１の位置で前記表示筐体の端部と対向する前記本体筐体の領域よりも外部に張り出した張出部と、この張出部から前記表示筐体に向かって延びた平坦な壁部とを有するバッテリ収容部と、
前記バッテリ収容部に収容されたバッテリと、
を有することを特徴とする電子機器。
【請求項２】
請求項１の記載において、前記本体筐体は、底壁部を有し、
前記バッテリ収容部は、前記本体筐体の底壁部よりも突出した突出部を有することを特徴とする電子機器。
【請求項３】
請求項２の記載において、前記張出部は、前記底壁部よりも前記表示筐体に寄って位置し、前記バッテリパックは、前記張出部から前記底壁部に向かって延びた第２の壁部を有することを特徴とする電子機器。
【請求項４】
請求項３の記載において、前記第２の壁部は、断面が円弧状に湾曲した形状を有することを特徴とする電子機器。
【請求項５】
請求項４の記載において、前記バッテリ収容部は、前記本体筐体に着脱可能に設けられ、前記壁部は、前記本体筐体と前記表示筐体とに亘る側壁部の一部であることを特徴とする電子機器。
【請求項６】
請求項５の記載において、前記バッテリ収容部は、前記突出部よりも突出した支持部を有することを特徴とする電子機器。
【請求項７】
本体筐体と、
表示装置を収容した表示筐体と、
前記表示装置の表示画面が前記本体筐体に覆われる第１の位置と、該表示画面が露出される第２の位置との間で前記表示筐体と前記本体筐体とを回動可能に連結したヒンジ部と、
前記本体筐体に着脱可能に設けられるとともに、前記第１の位置で前記表示筐体よりも外部に張り出した張出部と、この張出部から前記表示筐体に向かって延びた平坦な壁部とを有するバッテリパックと、
を有することを特徴とする電子機器。
【請求項８】
請求項７の記載において、前記本体筐体は、底壁部を有し、
前記バッテリパックは、前記本体筐体の底壁部よりも突出した突出部を有することを特徴とする電子機器。
【請求項９】
請求項７の記載において、前記張出部は、前記底壁部よりも前記表示筐体に寄って位置し、前記バッテリパックは、前記張出部から前記底壁部に向かって延びた第２の壁部を有することを特徴とする電子機器。
【発明の詳細な説明】
【技術分野】
【０００１】
本発明は、電子機器に関する。
【背景技術】
【０００２】
例えばポータブルコンピュータのような携帯性を重視する電子機器では、その外郭となる筐体を薄くコンパクトに形成したいという要求がある。
この筐体の薄型化を実現するため、例えば特許文献１に開示された電子機器では、ケースと、複数の電池セルとを備える電池ユニットであって、ケースは、１以上の電池セルを収容する第１の部分と、１以上の電池セルを収容する第２の部分と、第１の部分と第２の部分とを繋ぐ第３の部分とを有し、第３の部分の少なくとも一部は、第１及び第２の部分よりも厚さが薄く形成されている。
【０００３】
この構成によれば、電子機器等に搭載する際に、これを薄型化することができる。
【先行技術文献】
【特許文献】
【０００４】
【特許文献１】特開２００６−２６０９７３号公報
【発明の概要】
【発明が解決しようとする課題】
【０００５】
特許文献１では、電子機器の筐体内に電池ユニットを収容させる構成であるため、機器の小型化に伴って電池ユニットの容量も小さくなる。
一方、電子機器から突出させて電池ユニットを設ける場合、電池ユニットの容量を確保することができるが、電子機器が見かけ上大きくなってしまう。
そこで、本発明は、電池ユニットの容量を確保するとともに、電子機器の小型化を実現する。
【課題を解決するための手段】
【０００６】
上記目的を達成するため、本発明の一つの形態に係る電子機器は、
本体筐体と、端部を有し、表示装置を収容した表示筐体と、前記表示筐体の端部に接続し、前記表示装置の表示画面が前記本体筐体に覆われる第１の位置と、該表示画面が露出される第２の位置との間で前記表示筐体と前記本体筐体とを回動可能に連結したヒンジ部と、
【０００７】
前記本体筐体に設けられるとともに、前記第１の位置で前記表示筐体の端部と対向する前記本体筐体の領域よりも外部に張り出した張出部と、この張出部から前記表示筐体に向かって延びた平坦な壁部とを有するバッテリ収容部と、前記バッテリ収容部に収容されたバッテリと、を有することを特徴とする。
【０００８】
また、本発明の一つの形態に係る電子機器は、
本体筐体と、表示装置を収容した表示筐体と、前記表示装置の表示画面が前記本体筐体に覆われる第１の位置と、該表示画面が露出される第２の位置との間で前記表示筐体と前記本体筐体とを回動可能に連結したヒンジ部と、前記本体筐体に着脱可能に設けられるとともに、前記第１の位置で前記表示筐体よりも外部に張り出した張出部と、この張出部から前記表示筐体に向かって延びた平坦な壁部とを有するバッテリパックと、を有することを特徴とする。
【発明の効果】
【０００９】
本発明によれば、電池ユニットの容量を確保するとともに、電子機器の小型化を実現することができる。
【図面の簡単な説明】
【００１０】
【図１】本実施形態にかかる電子機器としてのポータブルコンピュータを上方から見た斜視図である。
【図２】本実施形態にかかる電子機器としてのポータブルコンピュータを下方から見た図である。
【図３】本実施形態にかかる電子機器としてのポータブルコンピュータを下方から見た斜視図である。
【図４】本実施形態にかかる電子機器としてのポータブルコンピュータを側方から見た図である。
【図５】本実施形態にかかるポータブルコンピュータに設けられる電池ユニットを後方から見た斜視図である。
【図６】本実施形態にかかるポータブルコンピュータに設けられる電池ユニットを前方から見た斜視図である。
【図７】本実施形態にかかるポータブルコンピュータに設けられる電池ユニットを該ポータブルコンピュータの底側から見た図である。
【図８】本実施形態にかかるポータブルコンピュータに設けられる電池ユニットを側方から見た図である。
【図９】本実施例のポータブルコンピュータ１を机に載置して側方から見た場合の図である。
【発明を実施するための形態】
【００１１】
以下、図１乃至図９を参照して、本発明の第１の実施形態について説明する。本実施形態は、本発明の電子機器を、例えばポータブルコンピュータに適用した一例で示している。図１乃至図４は、電子機器としてのポータブルコンピュータ１を示している。ポータブルコンピュータ１は、本体ユニット２と表示ユニット３とを有している。
【００１２】
図１は、本実施形態にかかる電子機器としてのポータブルコンピュータを上方から見た斜視図である。図２は、図１のポータブルコンピュータを下方から見た図である。図３は、図１のポータブルコンピュータを下方から見た斜視図である。図４は、図１のポータブルコンピュータを側方から見た図である。
【００１３】
図１に示すように、本体ユニット２は、偏平な箱状に形成された第１の筐体１０を有している。第１の筐体１０は、底壁部１１ａ、上壁部１１ｂ、前壁部１１ｃ、左右の側壁部１１ｄ，１１ｅ、及び、後壁部１１ｆを有している。上壁部１１ｂの外面は、手元側（前側）に、パームレスト１２を有している。
【００１４】
第１の筐体１０の上壁部１１ｂは、パームレスト１２の後方に、キーボード取付け部１３を有している。キーボード取付け部１３には、数字や文字等の入力に利用されるキーボード１４が取付けられている。図１に示すように、矢印Ｆは、ポータブルコンピュータ１の前方を示しており、矢印Ｒは、ポータブルコンピュータ１の後方を示している。
【００１５】
底壁部１１ａは、前壁部１１ｃ、左右の側壁部１１ｄ，１１ｅ、及び、後壁部１１ｆにそれぞれ跨る前斜面部１１ａ１、左右の側斜面部１１ａ２，１１ａ３、および後斜面部１１ａ４を含む。これらの斜面部１１ａ１〜１１ａ４が、底壁部１１ａと略直交方向に起立する前壁部１１ｃ、左右の側壁部１１ｄ，１１ｅ、及び、後壁部１１ｆとの間に其々設けられることでポータブルコンピュータ１の外観を小型に見せることができる。特に図４に示すようにポータブルコンピュータ１の側面方向からの外観をよりコンパクトにみせることができる。
【００１６】
ポータブルコンピュータ１は、内部に回路基板５２を収容している。この回路基板５２の外縁部には、コネクタ５３等の電子部品が設けられている。本実施例のポータブルコンピュータ１では、コネクタ５３等の回路基板５２の外縁に設けられる電子部品が第１の筐体１０の後方に実装されるように設計されている。このような構成により、図４に示すようにポータブルコンピュータ１における第１の筐体１０の前方部分を薄くすることができる。これにより、ポータブルコンピュータ１のコネクタの数を減らしたり、機能を低下させたりすることなく、前方向からの見かけを薄型化することができる。
【００１７】
第１の筐体１０は、その後端部に、一対の連結凹部１５ａと、この連結凹部１５ａに嵌合される連結凸部１５ｂを有している。連結凹部１５ａは、第１の筐体１０の前方、下方、後方に向けて開放する窪みにて構成されている。連結凹部１５ａと連結凸部１５ｂとは、本体ユニット２の幅方向（左右方向）に亘って設けられている。
【００１８】
連結凸部１５ｂには、電源スイッチ１５ｃが設けられている。電源スイッチ１５ｃは、円柱形状を有し、連結凸部１５ｂに設けられた開口部１５ｄに設けられている。連結凸部１５ｂと電源スイッチ１５ｃとは、略同一の径を有し、一体に設けられているように見せることができる。
【００１９】
図３に示すように、本実施例の連結凸部１５ｂは、可撓性を有する。連結凸部１５ｂは外部からの押圧を受けた場合、開口部１５ｄ周辺を中心に第１の筐体１０の内部に向かって沈み込むことができる。このような構成により、本実施例のポータブルコンピュータ１では、連結凸部１５ｂと電源スイッチ１５ｃとは、略同一の径を有していても電源スイッチ１５ｃを押し込むことができ、ユーザにクリック感を与えることができる。このような構成により、第１の筐体１０の外部に電源スイッチ１５ｃを突出させなくても押圧し難いとユーザに感じさせることがなく、第１の筐体１０の小型化、スリム化に貢献することができる。
【００２０】
表示ユニット３は、第２の筐体２０と表示装置としての液晶表示パネル２１とを備えている。液晶表示パネル２１は、第２の筐体２０の内部に収容されている。液晶表示パネル２１は、画像を表示する画面２１ａを有している。第２の筐体２０には、画面２１ａを露出させる開口部２０ａが設けられている。画面２１ａは、この開口部２０ａを通じて第２の筐体２０の外方に露出している。
【００２１】
第２の筐体２０は、筐体構成部品であり、互いに連結することで第２の筐体２０を構成するマスク部２０ｂとカバー部２０ｃとを有する。第２の筐体２０は、ヒンジ側端部２２ａと、このヒンジ側端部２２ａとは反対側に位置する上端部２２ｂと、これらヒンジ側端部２２ａと上端部２２ｂとに亘る左右の側端部２２ｃ，２２ｄとを有する。
【００２２】
マスク部２０ｂは、上記ヒンジ側端部２２ａと上端部２２ｂと、左右の側端部２２ｃ，２２ｄとに対応する位置に、ヒンジ側壁部２０ｂａと上壁部２０ｂｂと、左右の側壁部２０ｂｃ，２０ｂｄとを其々有する。
【００２３】
図３に示すように、カバー部２０ｃは、ヒンジ側端部２２ａと上端部２２ｂと、左右の側端部２２ｃ，２２ｄとにそれぞれ跨る前斜面部２０ｃ１、および左右の側斜面部２０ｃ２，２０ｃ３を含む。これらの斜面部２０ｃ１〜２０ｃ３が、カバー部２０ｃとヒンジ側端部２２ａ、上端部２２ｂ、及び左右の側端部２２ｃ，２２ｄとの間に其々設けられることでポータブルコンピュータ１の外観を小型に見せることができる。特に図４に示すようにポータブルコンピュータ１の側面方向からの外観をよりコンパクトにみせることができる。
【００２４】
第２の筐体２０は、その一端部に、一対の連結脚部２３ａ，２３ｂを有している。この連結脚部２３ａ，２３ｂはヒンジ部であり、本体ユニット２に対して表示ユニット３が閉じている位置（即ち、画面２１ａが第１の筐体１０に覆われた位置）と、本体ユニット２に対して表示ユニット３が開いている位置（即ち、画面２１ａが露出された位置）との間で回動できるよう第１の筐体１０と第２の筐体２０とを連結する。連結脚部２３ａ，２３ｂは、第２の筐体２０の幅方向に離間して配置されており、夫々、第１の筐体１０に接続される。
【００２５】
図３および図４に示すように、本実施例のポータブルコンピュータ１では、表示ユニット３が閉じている位置で連結凸部１５ｂが外部に露出される。連結凸部１５ｂは本体ユニット２と内部で連通している。このような構成により、本体ユニット２の容量を増加することができ、該本体ユニット２に機能部品をより多く収容させることができる。
【００２６】
本実施例のポータブルコンピュータ１では、第１の筐体１０の外縁２ａの寸法が第２の筐体２０の外縁３ａの寸法より小さい。第１の筐体１０の外縁２ａは、ポータブルコンピュータ１の上方向からの平面視で第２の筐体２０の外縁３ａ内に位置する。これにより、ポータブルコンピュータ１を上方向から見た場合外観をよりコンパクトにみせることができる。尚、ここでいう外縁とは、各筐体の外周縁であり、図２及び図３で示す点線の部分を指す。
【００２７】
第１の筐体１０の内部には、電子部品としてのポインティングデバイス４０、ハードディスクドライブ（以下、ＨＤＤという）５０等が収容されている。また、第１の筐体１０には、底壁部１１ａから後壁１１ｆに跨って開口した開口部９９が設けられ、この開口部９９には、電池ユニット（バッテリパック）１００が収容されている。
【００２８】
次に、図５乃至図８を参照しながら、本実施例の電池ユニット１００について説明する。
図５は、本実施形態にかかるポータブルコンピュータに設けられる電池ユニットを後方から見た斜視図である。図６は、本実施形態にかかるポータブルコンピュータに設けられる電池ユニットを前方から見た斜視図である。図７は、本実施形態にかかるポータブルコンピュータに設けられる電池ユニットを該ポータブルコンピュータの底側から見た図である。図８は、本実施形態にかかるポータブルコンピュータに設けられる電池ユニットを側方から見た図である。
【００２９】
図６乃至図８に示すように、本実施例の電池ユニット１００は、底面部１００ａと、上面部１００ｂと、前面部１００ｃと、左右の側面部１００ｄ，１００ｅと、後面部１００ｆとを有する。電池ユニット１００には、バッテリ１００１，１００２が内部に収容されている。
【００３０】
図７及び図８に示すように、底面部１００ａは、第１の筐体１０の底壁部１１ａの一部として機能する。即ち、底面部１００ａは、第１の筐体１０の外表面として該第１の筐体１０の外部に露出されている。底面部１００ａは、凸部１００ａ１と、支持部１００ａ２と、前平坦部１００ａ３と後平坦部１００ａ４とを有する。
【００３１】
凸部１００ａ１は、前平坦部１００ａ３と後平坦部１００ａ４との間に位置し、前平坦部１００ａ３と後平坦部１００ａ４とで規定される面から円柱状に膨らんだ形状を有する。即ち、凸部１００ａ１は、円弧の断面形状を有する。例えば、第１の筐体１０に収容された部品のうち、凸部１００ａ１内に位置する部品では、該凸部１００ａ１が底壁１１ａよりも突出しているため、外部材と接触する等の外部ストレスに晒される可能性があるが、円弧の断面形状を有することで、その衝撃を分散させることができる。図８に示すように本実施例のポータブルコンピュータ１では、この凸部１００ａ１内に円柱型のバッテリ１００１の一部が侵入している。このような構成により、本実施例では、バッテリ１００１を外部衝撃から保護するとともに、電池ユニット１００内に不要な空きスペースを少なくさせた形態でバッテリを内蔵できる。
【００３２】
本実施例のポータブルコンピュータ１では、凸部１００ａ１と後壁１１ｆとの間に後平坦部１００ａ４が設けられる。これにより、ポータブルコンピュータ１の後方向からの外観を薄く見せることができる。
【００３３】
支持部１００ａ２は、凸部１００ａ１と後平坦部１００ａ４とに亘って設けられる。支持部１００ａ２には、脚部１００ａ２１が設けられる。脚部１００ａ２１は、ポータブルコンピュータ１を机等の外部材に載置した際、該外部材と当接し、ポータブルコンピュータ１を支持する。また、脚部１００ａ２１は、その先端部分、即ち外部材と当接する部分が底壁１１ａから最も離れて位置する。これにより、ポータブルコンピュータ１を机等の外部材に載置した際、該ポータブルコンピュータ１を前方に傾斜させた姿勢に保つことができ、これにより、ユーザがキー入力を行う場合の操作性を向上させることができる。
支持部１００ａ２は、凸部１００ａ１と同様、円弧の断面形状を有する。これにより、脚部１００ａ２１から第１の筐体１０に伝わるストレスを分散させ、緩和させることができる。
【００３４】
図５及び図６に示すように、上面部１００ｂは、前平坦部１００ｂ１と、曲面部１００ｂ２と、後平坦部１００ｂ３とを有する。前平坦部１００ｂ１は、キーボード１４の一部分、或いはキーボード１４の近傍領域と対向する。後平坦部１００ｂ３は、連結凸部１５ｂと対向する。曲面部１００ｂ２は、前平坦部１００ｂ１と後平坦部１００ｂ３との間に介在し、円弧状の断面形状を有する。
【００３５】
図８に示すように本実施例のポータブルコンピュータ１では、この曲面部１００ｂ２内に円柱型のバッテリ１００２の一部が侵入している。例えば、電池ユニット１００の挿抜を繰り返した際に、開口部９９内に石などの外部部材が侵入して曲面部１００ｂ２と筐体１０との間に挟まった場合、曲面部１００ｂ２にストレスが加わるが、このような場合であっても本実施例のポータブルコンピュータ１では、バッテリ１００２をストレスから保護するとともに、電池ユニット１００内に不要な空きスペースを少なくさせた形態でバッテリを内蔵できる。
【００３６】
図６及び図７に示すように、前面部１００ｃには、第１の筐体１０に電気的に接続するためのコネクタ１００ｃ１と、第１の筐体１０に固定するための係合部１００ｃ２とを有する。左右の側面部１００ｄ，１００ｅには、第１の筐体１０に設けられたスライダ部（図示していない）に嵌合されて電池ユニット１００の挿抜を規制するための凹部１００ｄ１，１００ｅ１が設けられる。これらにより本実施例のポータブルコンピュータ１では、第１の筐体１０に電池ユニット１００を強固に固定することができるとともに、挿抜作業をスムーズに行える。
【００３７】
図５乃至図８に示すように、後面部１００ｆは、第１の筐体１０の後壁部１１ｆの一部として機能する。即ち、後面部１００ｆは、第１の筐体１０の外表面として該第１の筐体１０の外部に露出されている。底面部１００ａは、張り出し部１００ｆ１を有する。張り出し部１００ｆ１は、平坦面部１００ｆ２と曲面部１００ｆ３とにより後側の領域を規定される。
【００３８】
張り出し部１００ｆ１は、後平坦部１００ｂ３よりも第１の筐体１０の後方側外部方向に向かって突出している。即ち、張り出し部１００ｆ１は、連結凸部１５ｂや、表示ユニット３が閉じられた状態のヒンジ側端部２２ａよりも第１の筐体１０の後方に位置している。張り出し部１００ｆ１は、端部１００ｆ０を有する。端部１００ｆ０は、平坦面部１００ｆ２と曲面部１００ｆ３とで規定されるコーナである。
【００３９】
図８に示すように、本実施例のポータブルコンピュータ１では、張り出し部１００ｆ１内にバッテリ１００２の一部が侵入している。このように筐体１０外部に突出した張り出し部１００ｆ１内にバッテリ１００２を収容した構成により、電池ユニット１００の容量を大きく確保することができる。
【００４０】
曲面部１００ｆ３は、端部１００ｆ０から本体ユニット３の底壁１１ａに向かって延びた、断面が円弧状の湾曲した表面を有する。曲面部１００ｆ３は、後平坦部１００ａ４の表面に連続している。ここで「連続」とは、表面上に大きな段差がなく、見かけ上同一面に設けられたように見える状態を指す。
【００４１】
曲面部１００ｆ３は、円柱状に膨らんだ形状を有する。例えば、曲面部１００ｆ３は、ポータブルコンピュータ１の角部に位置するため、凸部１００ａ１と同様、外部材と接触する等の外部ストレスに晒される可能性があるが、円弧の断面形状を有することで、その衝撃を分散させることができる。図８に示すように本実施例のポータブルコンピュータ１では、この曲面部１００ｆ３内に円柱型のバッテリ１００２の一部が侵入している。このような構成により、本実施例では、バッテリ１００２を外部衝撃から保護するとともに、電池ユニット１００内に不要な空きスペースを少なくさせた形態でバッテリを内蔵できる。
【００４２】
平坦面部１００ｆ２は、端部１００ｆ０から表示ユニット３に向かって延びた平坦な表面を有する。平坦面部１００ｆ１の端部１００ｆ０とは反対側の端部１００ｆ４を有する。端部１００ｆ４は、連結凸部１５ｂの表面と連続している。
【００４３】
ここで図９を参照しながら、本実施例のポータブルコンピュータ１における平坦面部１００ｆ２の構成を説明する。図９は、本実施例のポータブルコンピュータ１を机に載置して側方から見た場合の図である。
【００４４】
本実施例の平坦面部１００ｆ２は、机の天板２００と角度Ｘを成している。図９では、机の天板２００との成す角Ｘを境界に前方をＡ領域、後方をＢ領域としている。また上述した通り、平坦面部１００ｆ２は、端部１００ｆ０から表示ユニット３に向かって延びるとともに、連結凸部１５ｂの表面と連続している。そして、本実施例のポータブルコンピュータ１は、机に載置した際に脚部１００ａ２１の構成により前方に傾斜させた姿勢に保たれる。
【００４５】
これらの構成により本実施例では、例えばユーザが椅子などに座り、Ａ領域から表示ユニット３が閉じた状態のポータブルコンピュータ１を見た際、該ユーザに対してポータブルコンピュータ１の見かけを表示ユニット３の外縁３ａの大きさに見せることができる。これにより、ユーザに対して表示ユニット３よりも大きな本体ユニット２の外縁２ａを意識させることなく、圧迫感を与えることがない。
【００４６】
また、本実施例のポータブルコンピュータ１では、机の天板２００との成す角Ｘに沿うように平坦に延びた平坦面部１００ｆ２を有するため、Ａ領域内で効率よくバッテリ容量を確保することができる。
【００４７】
以上、説明したように本実施例のポータブルコンピュータ１では、効率よくバッテリ容量や、本体ユニット２の容量を確保するとともに、ポータブルコンピュータ１の小型化を実現できる。
【００４８】
なお、本発明にかかる電子機器は、ポータブルコンピュータ１に制約されるものではなく、電池ユニット１００を具備するものであれば、電子手帳やＰＤＡ等、種々の電子機器に広く適用することができる。
【符号の説明】
【００４９】
１…ポータブルコンピュータ１（電子機器）
２…本体ユニット
３…表示ユニット
１０…第１の筐体
１１ａ…底壁部
１１ｂ…上壁部
１２…パームレスト
１５ａ…連結凹部
１５ｂ…連結凸部
１５ｃ…電源スイッチ
２０…第２の筐体
４０…ポインティングデバイス（電子部品）
５２…回路基板
１００…電池ユニット
１００ｆ０…端部
１００ｆ１…張出部
１００ｆ２…平坦面部
１００ｆ３…曲面部
１００ａ２１…脚部
２００…机の天板
１００１，１００２…バッテリ
Ｘ…机の天板と平坦面部との成す角
【図１】
2011129427.tif 000003
【図２】
2011129427.tif 000004
【図３】
2011129427.tif 000005
【図４】
2011129427.tif 000006
【図５】
2011129427.tif 000007
【図６】
2011129427.tif 000008
【図７】
2011129427.tif 000009
【図８】
2011129427.tif 000010
【図９】
2011129427.tif 000011
【手続補正書】
【提出日】平成23年4月15日(2011.4.15)
【手続補正１】
【補正対象書類名】特許請求の範囲
【補正対象項目名】全文
【補正方法】変更
【補正の内容】
【特許請求の範囲】
【請求項１】
本体筐体と、
端部を有し、表示装置を収容した表示筐体と、
前記表示筐体の端部に接続し、前記表示装置の表示画面が前記本体筐体に覆われる第１の位置と、該表示画面が露出される第２の位置との間で前記表示筐体と前記本体筐体とを回動可能に連結したヒンジ部と、
前記本体筐体に設けられるとともに、前記第１の位置で前記表示筐体の端部と対向する前記本体筐体の領域よりも側方に張り出した張出部と、この張出部から前記表示筐体に向かって延びた平坦な壁部と、前記本体筐体が載置された場合に外部部材と当接されて前記本体筐体を支持可能な支持部と、を有するバッテリ収容部と、
前記バッテリ収容部に収容され、前記張出部内に少なくとも一部が位置された第１バッテリと、
前記バッテリ収容部に収容され、前記第１バッテリとの間に前記支持部が位置されるように第１バッテリよりも前記本体筐体の内部側に設けられた第２バッテリと、
を有することを特徴とする電子機器。
【請求項２】
請求項１の記載において、前記本体筐体は、底壁部を有し、
前記支持部は、前記本体筐体の底壁部よりも突出した突出部であることを特徴とする電子機器。
【請求項３】
請求項２の記載において、前記張出部は、前記底壁部よりも前記表示筐体に寄って位置し、前記バッテリ収容部は、前記張出部から前記底壁部に向かって延びた第２の壁部を有することを特徴とする電子機器。
【請求項４】
請求項３の記載において、前記第２の壁部は、断面が円弧状に湾曲した形状を有することを特徴とする電子機器。
【請求項５】
請求項４の記載において、前記バッテリ収容部は、前記本体筐体に着脱可能に設けられ、前記壁部は、前記本体筐体と前記表示筐体とに亘る側壁部の一部であることを特徴とする電子機器。
【請求項６】
請求項５の記載において、前記バッテリ収容部は、前記突出部よりも突出した支持部を有することを特徴とする電子機器。
【請求項７】
筐体と、
前記筐体に設けられるとともに、前記筐体側面よりも外部に張り出した形状を有するとともに平坦な斜面を含む張出部と、支持部と、を有するバッテリ収容部と、
前記バッテリ収容部に収容され、前記張出部内に少なくとも一部が位置された第１バッテリと、
前記バッテリ収容部に収容され、前記第１バッテリから前記支持部を隔てた位置に設けられた第２バッテリと、
を有することを特徴とする電子機器。
【請求項８】
請求項７の記載において、前記筐体は、底壁部を有し、
前記支持部は、前記筐体の前記底壁部よりも突出した突出部であることを特徴とする電子機器。
【請求項９】
請求項７の記載において、前記バッテリ収容部は、前記張出部から前記底壁部に向かって延びた第２の壁部を有することを特徴とする電子機器。
【手続補正２】
【補正対象書類名】明細書
【補正対象項目名】０００６
【補正方法】変更
【補正の内容】
【０００６】
上記目的を達成するため、本発明の一つの形態に係る電子機器は、本体筐体と、端部を有し、表示装置を収容した表示筐体と、前記表示筐体の端部に接続し、前記表示装置の表示画面が前記本体筐体に覆われる第１の位置と、該表示画面が露出される第２の位置との間で前記表示筐体と前記本体筐体とを回動可能に連結したヒンジ部と、前記本体筐体に設けられるとともに、前記第１の位置で前記表示筐体の端部と対向する前記本体筐体の領域よりも側方に張り出した張出部と、この張出部から前記表示筐体に向かって延びた平坦な壁部と、前記本体筐体が載置された場合に外部部材と当接されて前記本体筐体を支持可能な支持部と、を有するバッテリ収容部と、前記バッテリ収容部に収容され、前記張出部内に少なくとも一部が位置された第１バッテリと、前記バッテリ収容部に収容され、前記第１バッテリとの間に前記支持部が位置されるように第１バッテリよりも前記本体筐体の内部側に設けられた第２バッテリと、を有することを特徴とする。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】変更
【補正の内容】
【０００８】
また、本発明の一つの形態に係る電子機器は、筐体と、前記筐体に設けられるとともに、前記筐体側面よりも外部に張り出した形状を有するとともに平坦な斜面を含む張出部と、支持部と、を有するバッテリ収容部と、前記バッテリ収容部に収容され、前記張出部内に少なくとも一部が位置された第１バッテリと、前記バッテリ収容部に収容され、前記第１バッテリから前記支持部を隔てた位置に設けられた第２バッテリと、を有することを特徴とする。